(57)【特許請求の範囲】
【請求項１】
信号記録媒体の信号記録領域に記録された情報信号を単位記録領域毎に再生する再生手段と、
上記再生手段による上記各単位記録領域からの情報信号の再生動作に関する再生の困難さを表す評価値を取得する評価値取得手段と、
上記単位記録領域の情報信号の再生が正確に行われるまでの１回以上の再生動作のそれぞれの再生動作毎に上記評価値取得手段が取得した評価値を累算する累算手段と、
上記累算手段によって累算された評価値が所定値以上となったときに、対応する単位記録領域に記録されている情報信号を他の単位記録領域に記録する記録手段と、
上記再生手段による各単位記録領域からの情報信号の再生動作を制御する再生制御手段とを有し、
上記再生手段は、再生ヘッドと、上記再生ヘッドの出力信号に対してエラー訂正を行うエラー訂正手段とを備え、
上記再生制御手段は、上記再生手段が上記情報信号を正しく再生できないときに、上記再生手段による上記情報信号の再生動作を繰り返し実行させ、
上記累算手段は、上記再生手段による各再生動作において上記評価値取得手段が取得した評価値を累算するとともに、
上記制御手段は上記信号の再生が正しくできた場合には、上記評価値取得手段は、上記評価値の一つとして上記エラー訂正手段によるエラー訂正状態に応じた評価値を取得し、上記累算手段は、上記エラー訂正状態に応じた評価値を累算することを特徴とする信号記録再生装置。
【請求項２】
上記記録手段は、上記累算手段によって累算された評価値が所定値以上となったときに、対応する単位記録領域に記録されている情報信号を、上記信号記録領域内に予め設定された交替領域に記録することを特徴とする請求の範囲第１項記載の信号記録再生装置。
【請求項３】
上記評価値取得手段は、上記再生手段の再生動作に関する評価値として、エラー訂正数が多いほど大きな重み付けを行うことを特徴とする請求の範囲第１項記載の信号記録再生装置。
【請求項４】
上記評価値取得手段は、上記評価値として、上記再生手段の再生動作に係るパラメータを変更せずに行う再生動作における評価値よりもパラメータを変更して行う再生動作における評価値を大きくすることを特徴とする請求の範囲第１項記載の信号記録再生装置。
【請求項５】
上記再生手段は、再生ヘッドと、上記再生ヘッドの出力信号の特性を調整するイコライザとを備え、
上記再生制御手段は、上記再生手段が上記情報信号を正しく再生できないときに、上記イコライザの特性を順次変更させて、上記再生手段による上記情報信号の再生動作を繰り返し実行させる
ことを特徴とする請求の範囲第１項記載の信号記録再生装置。
【請求項６】
上記単位記録領域は、記録トラックに沿って形成されており、
上記再生手段は、再生ヘッドと、上記再生ヘッドを上記記録トラックに追従させるトラッキング手段とを備え、
上記再生制御手段は、上記再生手段が上記情報信号を正しく再生できないときに、上記トラッキング手段のトラッキング目標位置に対するオフセット量を順次変更させて上記再生手段による上記情報信号の再生動作を繰り返し実行させる
ことを特徴とする請求の範囲第１項記載の信号記録再生装置。
【請求項７】
上記再生手段は、再生ヘッドと、上記再生ヘッドの出力信号に対してエラー訂正を行い上記情報信号として出力するエラー訂正手段とを備え、
上記再生制御手段は、上記エラー訂正手段が上記再生ヘッドの出力信号に対してエラー訂正ができないときに、上記再生手段による上記情報信号の再生動作を繰り返し実行させる
ことを特徴とする請求の範囲第１項記載の信号記録再生装置。
【請求項８】
上記単位記録領域は、記録トラックに沿って形成されており、
上記再生手段は、再生ヘッドと、上記再生ヘッドの出力信号の特性を調整するイコライザと、上記再生ヘッドを上記記録トラックに追従させるトラッキング制御手段とを備え、
上記再生制御手段は、上記再生動作として、上記イコライザの特性の変更及び上記トラッキング手段によるトラッキング目標位置によるオフセット量の変更を行う
ことを特徴とする請求の範囲第１項記載の信号記録再生装置。
【発明の詳細な説明】
【０００１】
【発明の属する技術分野】
本発明は、信号記録媒体に情報信号を記録再生するために用いられる信号記録再生装置に関する。
【０００２】
【従来の技術】
従来、円盤状の信号記録媒体においては、セクタ単位で目的とするデータが記録されており、信号記録媒体に対するデータの記録や再生は、信号記録再生装置によって行われる。
【０００３】
例えば、信号記録媒体におけるセクタ等の信号記録領域の欠陥の管理は、信号記録媒体のフォーマットの段階でセクタに欠陥を発見した場合に、当該欠陥のあるセクタのアドレスを登録、すなわち例えば信号記録媒体の所定の領域に記録しておき、論理アドレスの割り付けから外すことによって行っている。
【０００４】
例えば、図１はハードディスク製造後の検査・出荷時の各工程を、図２はフロッピーディスク製造後の検査・出荷時の各工程をそれぞれ示しており、これらの図１及び図２に示すように、ハードディスクやフロッピーディスク等の磁気ディスクの製造工程（ステップＳ１０１又はステップＳ１０６）の後の検査工程（ステップＳ１０２又はステップＳ１０７）では、上述のような欠陥管理が行われる。
【０００５】
例えば、ハードディスクの場合、図１に示すように、記録領域に欠陥があるか否かを判別して（ステップＳ１０３）、欠陥がないときにはそのまま出荷し（ステップＳ１０４）、欠陥があるときには当該欠陥のあるセクタにデータが記録されないように論理アドレスのマップを更新、すなわち、欠陥セクタを論理アドレスの割付から外してから（ステップＳ１０５）、出荷する（ステップＳ１０４）。
【０００６】
また、フロッピーディスクの場合には、記録領域に欠陥があるか否かを判別して（ステップＳ１０８）、欠陥がないときには出荷し（ステップＳ１０９）、欠陥があるときには出荷しないようにしている（ステップＳ１１０）。
【０００７】
次に、光磁気ディスク等の光ディスクにおいては、図３及び図４に示すような欠陥管理が行われる。先ず図３において、製造（ステップＳ１２１）の後に検査され（ステップＳ１２２）、記録領域に欠陥があるか否かを判別して（ステップＳ１２３）、欠陥があるときには当該欠陥のあるセクタにデータが記録されないように論理アドレスのマップを更新してから（ステップＳ１２４）、出荷している（ステップＳ１２５）。
【０００８】
そして、図４に示すように、上記光磁気ディスク等の光デイスクは、ユーザ等に購入（ステップＳ１２６）された後、データを記録する際に（Ｓ１２７）、記録したデータの再生が行われて（ステップＳ１２８）、記録したデータが再生できたか否かが検出される（ステップＳ１２９）。ここで、データが再生できなかった場合、記録可能なセクタにデータが記録し直され（ステップＳ１３０）、上記欠陥セクタにデータが記録されないようにマップが更新される（ステップＳ１３１）。
【０００９】
また、信号記録媒体に信号を記録再生する記録再生装置は、信号記録媒体に記録されているデータの再生に失敗した場合、再生特性に影響を及ぼすトラッキングやイコライザ等のパラメータを変更してから再度再生動作を行うことがなされている。
【００１０】
なお、上記信号記録再生装置あるいは記録媒体駆動装置は、記録するデータの信頼性を向上させるため、例えば、データにエラー訂正のための冗長ビットを予め付加してから信号記録媒体に記録している。
【００１１】
【発明が解決しようとする課題】
ところで、信号記録媒体に記録されているデータの再生に失敗した場合に行うデータ再生のリトライ動作では、データの再生に成功したとしても、次回の再生において成功するといった保証はない。むしろ、上述したようにパラメータを変更してリトライ動作を行い、データの再生が成功した場合などは、そのセクタは相当に読みにくくなっているというべきであり、そのセクタの再生の信頼性は低下しているとみなすべきである。なお、データの再生信頼性の低下は、時間と共に進行することが多い。
【００１２】
以上のように、従来は、使用中に信頼性が低下した部分や時間によって進行するような信頼性低下部分に対して、従来のデータの記録再生の信頼性を確保することはできなかった。
【００１３】
本発明は、上述の実情に鑑みてなされたものであり、将来に情報信号が再生不能に陥ることを防止することができる信号記録再生装置の提供を目的とするものである。
【００１４】
【課題を解決するための手段】
本発明に係る信号記録再生装置は、信号記録媒体の信号記録領域に記録された情報信号を単位記録領域毎に再生する再生手段と、上記再生手段による上記各単位記録領域からの情報信号の再生動作に関する再生の困難さを表す評価値を取得する評価値取得手段と、上記単位記録領域の情報信号の再生が正確に行われるまでの１回以上の再生動作のそれぞれの再生動作毎に上記評価値取得手段が取得した評価値を累算する累算手段と、上記累算手段によって累算された評価値が所定値以上となったときに、対応する単位記録領域に記録されている情報信号を他の単位記録領域に記録する記録手段と、上記再生手段による各単位記録領域からの情報信号の再生動作を制御する再生制御手段とを有し、上記再生手段は、再生ヘッドと、上記再生ヘッドの出力信号に対してエラー訂正を行うエラー訂正手段とを備え、上記再生制御手段は、上記再生手段が上記情報信号を正しく再生できないときに、上記再生手段による上記情報信号の再生動作を繰り返し実行させ、上記累算手段は、上記再生手段による各再生動作において上記評価値取得手段が取得した評価値を累算するとともに、上記制御手段は上記信号の再生が正しくできた場合には、上記評価値取得手段は、上記評価値の一つとして上記エラー訂正手段によるエラー訂正状態に応じた評価値を取得し、上記累算手段は、上記エラー訂正状態に応じた評価値を累算することを特徴とするものである。
【００１５】
【発明の実施の形態】
以下、本発明の実施の形態について図面を用いて説明する。
【００１６】
本実施の形態は、磁気ディスク等の信号記録媒体に信号を記録再生できる信号記録再生装置であり、特に、フロッピーディスクのような可搬性ディスクの記録再生装置に適用した例について説明するものある。
【００１７】
上記信号記録再生装置は、磁気ディスクの信号記録領域に単位記録領域となるセクタ単位に信号の再生を行い、再生信頼性が低下したときに当該セクタに記録されている信号を他のセクタに記録し直すととともに信号が再び当該信頼性が低下したセクタに記録されないようにアドレスマップを変更するように構成されている。
【００１８】
すなわち、本発明の実施の形態となる信号記録再生装置は、磁気ディスクへの信号記録時のベリファイとは異なり、磁気ディスクに記録されている信号を再生する際に、何度かのリトライ等によって初めて信号の再生が行えたようなセクタを再生信頼性の低いセクタと判断して、当該セクタに記録されている信号を他のいわゆる交替セクタに記録するものである。
【００１９】
図５に示すように、信号記録再生装置１は、磁気ディスク１００を回転操作するスピンドルモータ２と、磁気ディスク１００の信号記録面に信号を記録再生するための磁気ヘッド３と、磁気ヘッド３を磁気ディスク１００の径方向に沿って移動操作するアクチュエータ４と、磁気ヘッド３が再生した情報信号の信号レベルを増幅する信号増幅回路５と、磁気ディスク１００に記録するためにＥＣＣ回路（エラー訂正符号の符号化／復号回路）９から送信されてくる情報信号の信号レベルを増幅する信号増幅回路６と、これらの信号増幅回路５、６を切り換えるスイッチ７と、信号増幅回路５において増幅された信号の信号特性を調整するイコライザ８と、イコライザ８で信号特性が調整された信号に対してエラー訂正符号の復号を行うＥＣＣ回路９と、ＥＣＣ回路９から出力された信号やホストコンピュータ１１からの信号を一時記憶するバッファ１０と、信号増幅回路５の出力信号からサーボ信号を検出し、制御回路１２に出力するサーボ検出回路１３と、このサーボ信号から得られるトラッキングエラー信号及び制御回路１２からのオフセット信号を信号増幅回路１４を介してアクチュエータ４に出力する混合回路１５とを備えている。
【００２０】
なお、上記制御回路１２は、例えばＤＳＰ回路によって構成される。そして、制御回路１２は、評価値取得機能や信号記録領域交替処理機能を有する他、磁気ヘッド３等の信号記録再生部を制御して、磁気ディスク１００の目標セクタから信号を再生するまで、上記信号記録再生部を制御して信号記録再生動作を実行させる機能も有している。例えば、制御回路１２は、リード又はライトコマンドによってスイッチ７，ＥＣＣ回路９やバッファ１０等を制御する。
【００２１】
このように構成された信号記録再生装置１は、信号記録再生部が磁気ディスク１００に記録されている信号を再生できるまで行った再生動作において、そのエラー訂正の程度やリトライの内容に応じた評価値を取得して、当該取得した評価値が所定値に達したセクタの信号を交替セクタにコピーするようにしている。
【００２２】
すなわち、制御回路１２は、磁気ディスク１００からの情報信号の再生動作に関する再生の困難さを表す評価値を取得し、正しく再生できるまでに取得された評価値を累算し、累算された評価値が所定値以上となったときに、対応するセクタに記録されている情報信号を他のセクタに記録させるように制御する。
【００２３】
これによって、将来に情報信号が再生不能になることを防止することができる。
【００２４】
以下、磁気ディスク１００に記録されている信号、及び磁気ディスク１００の再生動作について説明する。
【００２５】
図６は、磁気ディスク１００の記録トラックを概略的に示す図であり、同心円状あるいはスパイラル状に複数本のトラックＴＲが記録形成され、このトラックの円周に沿って分割されて複数のセクタＳecが形成されている。なお、各セクタには、トラッキングサーボを行うためのサーボ信号が記録されたサーボ領域が設けられている。この磁気ディスク１００の所定領域、例えば最内周側の所定領域には、交替セクタのための領域となる交替トラックＴＲALTが設けられている。
【００２６】
信号記録再生装置１は、スピンドルモータ２によって回転操作される磁気ディスク１００に記録されている信号を磁気ヘッド３によって再生する。磁気ヘッド３によって再生された信号は、制御回路１２により再生側に切換接続されたスイッチ７を介して信号増幅回路５に入力される。
【００２７】
信号増幅回路５に入力された信号は、ここで増幅され、イコライザ８を介してＥＣＣ回路９に入力される。また、信号増幅回路５からの出力信号は、サーボ検出回路１３に入力される。
【００２８】
ＥＣＣ回路９は、磁気ディスク１００から再生した信号に対して、エラー訂正を施す回路である。このＥＣＣ回路９は、イコライザ８を介して入力された信号をエラー訂正したときの訂正バイト数を制御回路１２に報告する。
【００２９】
制御回路１２は、上記エラーバイト数に応じて、信号の再生特性に影響を与える動作として、例えばイコライザ８のパラメータを変更させる。このパラメータとしては、イコライザ８を構成するフィルタのフィルタゲイン等が挙げられる。
【００３０】
また、サーボ検出回路１３は、入力された信号中のサーボ信号を検出し、このサーボ信号に基づいてトラッキングエラー信号を生成し、制御回路１２に供給する。制御回路１２は、トラッキングエラー信号に、信号の再生特性に影響を与えるパラメータとしてトラッキングのオフセット量を変化させて加え、アクチュエータ４を制御する。なお、最初の再生時はオフセット量はゼロとされる。
【００３１】
そして、制御回路１２は、上述のように信号再生特性に影響を与えるようなパラメータの変更を行った後、リトライ、すなわち再度再生動作を行う。なお、パラメータを変更せずにリトライを何度か行った後、パラメータを変更して再びリトライを何度か行うようにしてもよい。この場合には、パラメータを変更する毎に複数回、例えば４回程度のリトライを行わせるものである。
【００３２】
このようなリトライ動作、すなわち繰り返し再生動作によって信号が再生できたとき、制御回路１２は、当該再生された信号をバッファ１０に記憶させるとともに、エラーカウンタ値が限界値Ｅ0より大きいか否かを判別する。
【００３３】
そして、エラーカウンタ値が限界値Ｅ0より大きい場合、すなわち信号再生の信頼性が低下したと判断された場合、制御回路１２は、バッファ１０に記憶した信号を磁気ディスク１００の他の信号記録領域に記録する。上記他の信号記録領域とは、例えば記録媒体上に予め設けられている交替セクタで、図６の交替トラックＴＲALTにあるセクタである。
【００３４】
具体的には、制御回路１２は、バッファ１０に記憶した信号をＥＣＣ回路９、及び信号増幅回路６等を介して磁気ディスク１００の上記交替セクタに記録する。そして、制御回路１２は、信号再生の信頼性のなくなったセクタへの信号の記録がなされなくなるように、セクタの論理アドレスマップを更新する。このアドレスマップも、磁気ディスク１００上の所定領域に記録されるようになっている。
【００３５】
ここで、磁気ディスク１００におけるスリッピング処理及び交替処理について、図７〜図１０を参照しながら説明する。
【００３６】
図７、図８は、スリップ交替マネジメントを説明するための図である。すなわち、媒体出荷前等に記録媒体の物理フォーマットを行う際、欠陥セクタを検出したときにはスリッピング処理あるいはスリップ交替処理を行うが、図７が処理前を、図８が処理後をそれぞれ示している。
【００３７】
図７は、スリップ交替処理がないときのディスク上の物理アドレスＰＢＡと論理アドレスＬＢＡとの関係を示す図であり、物理アドレスＰＢＡの「000000」〜「001104」は固定エリアＦＡとされ、「001105」〜「403247」がスリッピング対象エリアＳＡとされている。ここで、物理アドレスＰＢＡの「000000」〜「001247」はメンテナンスエリアＭＡとされ、この内の「000000」〜「001104」が欠陥セクタのような欠陥アドレスを示すディフェクトリストＤＬとされている。物理アドレスＰＢＡの「001248」〜「397247」はユーザエリアＵＡとされて論理アドレスＬＢＡの「000000」〜「395999」に対応している。また、物理アドレスＰＢＡの「397428」〜「401747」はスリップ交替処理エリアＳＡＡとされ、「401748」〜「403247」は未使用エリアＲＡとされている。
【００３８】
図８は、欠陥セクタが発生してスリッピング交替処理を行った場合を示しており、この例では、欠陥セクタが物理アドレスＰＢＡの「001251」，「001253」，「001254」に発生している。スリップ交替処理では、これらの欠陥セクタを避けて正常なセクタを使用するように論理アドレスＬＢＡが割り当てられる。この欠陥セクタの個数分だけユーザエリアＵＡの正常セクタが不足するが、不足分をスリップ交替処理エリアＳＡＡ中の正常セクタに割り当てている。
【００３９】
これに対して、物理フォーマット後に欠陥セクタが発生した場合には、信号記録再生装置はオルタネイト交替処理を行う。図９がオルタネイト交替処理がない場合の物理アドレスＰＢＡと論理アドレスＬＢＡとの関係を示す図であり、図１０がオルタネイト交替処理をした場合の物理アドレスＰＢＡと論理アドレスＬＢＡとの関係を示す図である。
【００４０】
図９において、物理アドレスＰＢＡの「000000」〜「001104」は固定エリアＦＡとされ、「001105」〜「403247」がスリッピング対象エリアＳＡとされている。ここで、物理アドレスＰＢＡの「000000」〜「001247」はメンテナンスエリアＭＡとされ、この内の「000000」〜「001104」が欠陥セクタのような欠陥アドレスを示すディフェクトリストＤＬとされている。物理アドレスＰＢＡの「001248」〜「397247」はユーザエリアＵＡとされて論理アドレスＬＢＡの「000000」〜「395999」に対応している。また、物理アドレスＰＢＡの「397428」〜「401747」はオルタネイト交替処理エリアＡＡとされている。
【００４１】
そして、記録媒体の信号記録再生中に欠陥セクタが発生するとオルタネイト交替処理が行われるわけであるが、上述した実施の形態のように、信号再生時のリトライ動作に関する評価値によって信頼性が低下したセクタについても、このセクタを欠陥セクタとしてオルタネイト交替処理を行うようにしている。図１０の例では、物理アドレスＰＢＡの「001251」，「001253」，「001254」に欠陥セクタが発生しており、これらの欠陥セクタを避けて正常なセクタを使用するように、論理アドレスＬＢＡがオルタネイト交替処理エリアＡＡに再度割り当てられる。この図１０の例では、論理アドレスＬＢＡの「000003」，「000005」，「000006」に対して、物理アドレスＰＢＡの「397248」，「397249」，「397250」がそれぞれ割り当てられている。
【００４２】
以上のように、信号記録再生装置１は、信号再生のリトライ動作及びエラー訂正処理の実行に対しての定量的な基準として重み付け係数を累積し、累積した重み付け係数が所定値に達したときに、当該セクタを欠陥セクタとして、上記オルタネイト交替処理エリアＡＡに割り当てられた交替セクタに信号を記録し直すことで、次回以降の信号の再生に際しての信頼性を確保することを可能にする。
【００４３】
よって、信号記録再生装置１は、将来に信号が再生不能に陥ることを防止することができる。例えば、信号記録再生装置１は、塵埃、汚れ、といった原因により信号が再生不能になる以前に、リトライ時の動作に応じた評価値により信頼性の低下したセクタを欠陥セクタとしてオルタネイト交替処理を施すことにより、再生不能といった致命的欠陥の発生頻度を減らすことができるようになり、将来に信号が再生不能に陥ることを防止することができる。
【００４４】
次に、上述したような信号記録再生装置１において、信号再生中のリトライ動作に応じたオルタネイト交替処理の具体的な動作例について、図１１〜図１３に示すフローチャートを参照しながら説明する。このような一連の動作は、図５に示す信号記録再生装置１の主として制御回路１２によって行われるものである。
【００４５】
先ず、図１１において、信号記録再生装置１の制御回路１２は、ステップＳ１に示すように、エラーカウンタ値を０にして、続いて、ステップＳ２に示すように、リトライカウンタ値に初期値Ｎを与え、ステップＳ３に進む。
【００４６】
ステップＳ３では、制御回路１２はスイッチ７を再生側に切り換えて、磁気ヘッド３により磁気ディスク１００からの信号の再生処理を行い、ステップＳ４に進む。
【００４７】
ステップＳ４では、制御回路１２は、信号再生処理の結果、信号を正しく再生することができたか否かを判別する。この信号再生が正しくできない場合とは、サーボ信号が再生できない場合や、エラー訂正ができない場合等を含む。ここで、信号記録再生装置１の制御回路１２は、信号の再生が正しくできたことを確認した場合、ステップＳ５に進み、信号の再生が正しくできなかった場合、図１２に示すステップＳ１０に進む。
【００４８】
信号が再生できた場合のステップＳ５では、信号記録再生装置１の制御回路１２は、リトライカウンタ値が０であるかを判別する。ここで、制御回路１２は、リトライカウンタ値が０でない場合には、図１３に示すステップＳ７1
に進み、リトライカウンタ値が０になっている場合には、ステップＳ６に進みエラー報告を行う。
【００４９】
なお、ステップＳ６をおけるエラー報告とは、リトライ処理を行っても信号が再生できなかったことをホストコンピュータ等に報告する処理であり、致命的な欠陥によって信号が読み出せなかったときに行う。
【００５０】
リトライカウンタ値が０でなかった場合の図１３に示すステップＳ７1では、信号記録再生装置１の制御回路１２は、リトライカウンタ値がＮであるかを判別する。ここで、制御回路１２は、リトライカウンタ値がＮである場合には、ステップＳ８1に進み、リトライカウンタ値がＮでない場合には、ステップＳ７2に進む。
【００５１】
リトライカウンタ値がＮであることを確認した場合のステップＳ８1では、信号記録再生装置１の制御回路１２は、信号の再生特性に影響を与える動作Ａを行い、エラーカウンタ値に重み付け係数ａを加算し、続いてステップＳ９において、当該リトライカウンタ値から１を減算する。上述の動作Ａとしては、例えば、同じセクタを同じパラメータで単に再度再生するためのリトライ動作が挙げられる。
【００５２】
また、リトライカウンタ値がＮでないことを確認した場合のステップＳ７2では、リトライカウンタ値がＮ−１であるかを判別する。ここで、信号記録再生装置１の制御回路１２は、リトライカウンタ値がＮ−１であることを確認した場合には、ステップＳ８2に進み、リトライカウンタ値がＮ−１でないことを確認した場合には、ステップＳ７3に進む。
【００５３】
リトライカウンタ値がＮ−１であることを確認した場合のステップＳ８2では、信号記録再生装置１の制御回路１２は、信号の再生特性に影響を与える動作Ｂを行い、エラーカウンタ値に重み付け係数ｂを加算し、続いてステップＳ９において、当該リトライカウンタ値から１を減算する。上記動作Ｂは、例えば、トラッキングをずらす動作である。具体的には、磁気ヘッド３が記録トラックの中心からオフセットされた位置にトラッキングするように、サーボ検出回路１３の出力に対して、混合回路１５においてオフセットを与える動作である。
【００５４】
また、リトライカウンタ値がＮ−１以外であることを確認した場合のステップＳ７3では、リトライカウンタ値がＮ−２であるかを判別する。ここで、信号記録再生装置１の制御回路１２は、リトライカウンタ値がＮ−２であることを確認した場合には、ステップＳ８3に進む。
【００５５】
リトライカウンタ値がＮ−２であることを確認した場合のステップＳ８3では、信号記録再生装置１の制御回路１２は、信号の再生特性に影響を与える動作Ｃを行い、エラーカウンタ値に重み付け係数ｃを加算し、続いてステップＳ９において、当該リトライカウンタ値から１を減算する。上記動作Ｃは、例えば、イコライザ８のパラメータを変更する動作である。
【００５６】
そして、ステップＳ７N-1では、リトライカウンタ値が２であるかを判別する。ここで、信号記録再生装置１の制御回路１２は、リトライカウンタ値が２であることを確認した場合には、ステップＳ８N-1に進み、リトライカウンタ値が２でないことを確認した場合、すなわち、リトライカウンタ値が１であることを確認した場合には、ステップＳ８Nに進む。
【００５７】
リトライカウンタ値が２であることを確認した場合のステップＳ８N-1では、信号記録再生装置１の制御回路１２は、信号の再生特性に影響を与える動作Ｙを行い、エラーカウンタ値に重み付け係数ｙを加算し、また、リトライカウンタ値が１であることを確認した場合のステップＳ８Nでは、信号記録再生装置１の制御回路１２は、信号の再生特性に影響を与える動作Ｚを行い、エラーカウンタ値に重み付け係数ｚを加算する。
【００５８】
上述のように、リトライカウンタ値を判別し、信号の再生特性に影響を与える動作を上記判別されたリトライカウンタ値に対応して行い、また、エラーカウンタ値に上記各ステップＳ８1〜Ｓ８Nに対応した重み付け係数を加算する。
【００５９】
なお、具体的には、ステップＳ８1，ステップＳ８2，ステップＳ８3，・・・，ステップＳN-1，ステップＳ８Nになるに従い、信号の再生特性に大きく影響する動作、すなわち、ノイズが含まれ値を誤る可能性も高いが最も信号を再生できる可能性が高いような動作にする。また、このとき重み付け係数も大きな値になるようにすることが挙げられる。
【００６０】
上述したようにリトライカウンタ値に対応したリトライ動作を行わせるとともに対応した重み付け係数を加算し、ステップＳ９においてリトライカウンタ値から１を減算した後、信号記録再生装置１の制御回路１２は、再び図１１に示すステップＳ３において信号再生動作を行わせる。ここでの信号の再生動作は、リトライカウンタ値に対応して信号の再生特性に影響を与えるように設定された信号再生動作となる。
【００６１】
そして、ステップＳ３で信号を再生することができたかをステップＳ４において判別する。このステップＳ４において信号を再生できたことを確認した場合、信号記録再生装置１の制御回路１２は、図１２に示すステップＳ１０に進む。なお、信号を再生できなかったことを確認した場合、信号記録再生装置１は、上述したように、ステップＳ４に進み、リトライカウンタ値を判別して、エラー処理又はリトライ動作を行うための動作を選択する。
【００６２】
ステップＳ１０では、信号記録再生装置１は、制御回路１２によって、ＥＣＣによる訂正バイト数が０か否かを判別する。ここで、信号記録再生装置１は、ＥＣＣによる訂正バイト数が０であることを確認した場合には、ステップＳ１６に進み、ＥＣＣによる訂正バイト数が０でないことを確認した場合には、ステップＳ１１に進む。
【００６３】
ＥＣＣによる訂正バイト数が０でないことを確認した場合のステップＳ１１では、信号記録再生装置１の制御回路１２は、ＥＣＣによる訂正バイト数が１以上５以下であるかを判別する。ここで、信号記録再生装置１は、ＥＣＣによる訂正バイト数が１以上５以下の値であることを確認した場合には、ステップＳ１２に進み、ＥＣＣによる訂正バイト数が１以上５以下の値でないことを確認した場合には、ステップＳ１３に進む。
【００６４】
ＥＣＣによる訂正バイト数が１以上５以下の値であることを確認した場合のステップＳ１２では、信号記録再生装置１の制御回路１２は、エラーカウンタ値に重み付け係数を加算する。例えば、エラーカウンタ値に重み付け係数として３を加算する。そして、重み付け係数を加算した後、信号記録再生装置１の制御回路１２は、ステップＳ１６に進む。
【００６５】
また、ＥＣＣによる訂正バイト数が１以上５以下の値でなかったことを確認した場合のステップＳ１３では、信号記録再生装置１の制御回路１２は、ＥＣＣによる訂正バイト数が６以上１０以下であるかを判別する。ここで、信号記録再生装置１の制御回路１２は、ＥＣＣによる訂正バイト数が６以上１０以下の値であることを確認した場合には、ステップＳ１４に進み、ＥＣＣによる訂正バイト数が６以上１０以下の値でないことを確認した場合には、ステップＳ１３に進む。
【００６６】
ＥＣＣによる訂正バイト数が６以上１０以下の値であることを確認した場合のステップＳ１４では、信号記録再生装置１の制御回路１２は、エラーカウンタ値に重み付け係数を加算する。例えば、エラーカウンタ値に重み付け係数として４を加算する。そして、重み付け係数を加算した後、信号記録再生装置１の制御回路１２は、ステップＳ１６に進む。
【００６７】
また、ＥＣＣによる訂正バイト数が６以上１０以下の値でなかったことを確認した場合のステップＳ１５では、信号記録再生装置１は、エラーカウンタ値に重み付け係数を加算する。例えば、エラーカウンタ値に重み付け係数として５を加算する。そして、重み付け係数を加算した後、信号記録再生装置１の制御回路１２は、ステップＳ１６に進む。
【００６８】
ステップＳ１６では、信号記録再生装置１の制御回路１２は、エラーカウンタ値が限界値Ｅ0より大きい値か否かを判別する。
【００６９】
信号記録再生装置１は、エラーカウンタ値が限界値Ｅ0より大きい値であることを確認した場合には、ステップＳ１７に進み、エラーカウンタ値が限界値Ｅ0以下の値であることを確認した場合には、当該処理を終了する。
【００７０】
ステップＳ１７において、信号記録再生装置１の制御回路１２は、バッファメモリに記憶されている信号を正常なセクタである交替セクタへの信号を記録し、ステップＳ１８に進む。ステップＳ１８では、信号記録再生装置１の制御回路１２は、信号の再生の信頼性のなくなったセクタへの信号の記録がなされなくなるように、上述した論理アドレスマップを更新する。そして、当該処理を終了する。
【００７１】
信号記録再生装置１の制御回路１２は、信号を再生の際に上記フローチャートのような処理において、再生のリトライ動作及びエラー訂正符号付加処理などの実行に対応して定量的な基準として重み付け係数を累積している。そして、累積した重み付け係数が所定値Ｅ0に達したときに他の正常なセクタ、いわゆる交替セクタ、に信号を書き換えることで、次回以降の信号の再生に際しての信頼性を確保することができる。
【００７２】
なお、上述した重み付け係数の与え方としては、例示した以外にも、例えば、ＥＣＣの各インターリーブ当たりのエラー数、再生波形のドロップアウト長、再生波形振幅の大きさ、などを評価パラメータとして使用し、それぞれに重み付け係数を与えることもできる。
【００７３】
なお、次の表１に示すように再生動作に対応して評価値を設定しておくこともできる。また、限界値Ｅ0を７に設定して、この値に達したら、信号を交替セクタに記録し、次回以降の再生に際しての信頼性を確保することもできる。
【００７４】
【表１】
0003867297.tif 000002
【００７５】
次に、図１４及び図１５は、本発明の実施の形態の他の具体例の動作を示すものであり、上述した図１２及び図１３にそれぞれ置き換えることができる。この図１４、図１５に示す例では、信号記録再生装置１の制御回路１２は、パラメータを変更しても、同じパラメータで何度かリトライを繰り返し、リトライ回数が所定数より多い（リトライカウンタ値が所定値Ｎ0より小さい）場合、あるいはエラーカウンタ値が限界値Ｅ0より大きい場合に、上述したオルタネイト交替処理を行わせている。
【００７６】
この具体例において、信号記録再生装置１の制御回路１２は、再生動作開始時には、上記図１１の例と同様に、初期値設定を行い（エラーカウンタ値を０に、リトライカウンタ値をＮにし）、再生動作を行わせて、信号を正しく再生できたか否かを判別し、正しく再生できたときに図１４のステップＳ４０に進み、正しく再生できないときには、リトライカウンタ値が０か否かに応じて、０でないとき図１５のステップＳ２７1に進んでいる。
【００７７】
図１４のステップＳ４０では、信号記録再生装置１の制御回路１２は、リトライカウンタ値が所定値Ｎ0より小さいか否か、すなわち、リトライ回数がＮ−Ｎ0回を超えているか否か、を判別する。この所定値Ｎ0は、例えば上記総リトライ回数Ｎの半分程度、すなわち、Ｎ0＝Ｎ／２とすればよい。リトライ回数が多く、ステップＳ４０でＹＥＳと判別されるときには、信号記録再生装置１の制御回路１２は、ステップＳ４１に進んで、再生した信号を正常なセクタに記録し、次のステップＳ４２で論理アドレスマップを更新することにより、上述したオルタネイト交替処理を行う。信号記録再生装置１の制御回路１２は、ステップＳ４０でＮＯと判別されたときには、ステップＳ３０以降により、上述した図１２と同様な処理が行われる。すなわち、図１４のステップＳ３０〜Ｓ３８は、図１２のステップＳ１０〜Ｓ１８に対応しており、同様な処理が行われるため説明を省略する。
【００７８】
図１５のステップＳ２７1では、信号記録再生装置１の制御回路１２は、リトライカウンタ値がＮ−４より小さいか否かを判別している。これは、初期値のＮからリトライが４回が行われたか否かを判別するものであり、信号記録再生装置１の制御回路１２は、この４回のリトライ再生の際には、ステップＳ２８1に進んで同じ動作Ａを行っている。この動作Ａは、上記図１３と共に説明したように、再生特性に影響を与えるパラメータを設定する動作であるが、同じパラメータを複数回、例えば４回設定して、すなわちパラメータを変えずに、４回のリトライを行わせている点が図１３の場合と異なっている。なお、リトライ毎にステップＳ２９でリトライカウンタ値が１ずつデクリメントされ、上記図１１のステップＳ３に戻ることは、図１３の動作と同様である。
【００７９】
図１５において、信号記録再生装置１の制御回路１２は、リトライカウンタ値がＮ−４以下になると、ステップＳ２７2に進み、リトライカウンタ値がＮ−８より大で、かつＮ−４以下か否かが判別される。これは、リトライ回数が最初から数えて５回目〜８回目に相当する４回のリトライのいずれかかを判別するものであり、制御回路１２は、ＹＥＳのときにはステップＳ２８2に進んで動作Ｂを行う。この動作Ｂは、上記図１３と共に説明したように、再生特性に影響を与えるパラメータを設定する動作であり、このパラメータは動作Ａで設定されるパラメータとは異なるものであるが、動作Ａのパラメータに対して変更された動作Ｂのパラメータについては、同じパラメータのままで４回リトライさせている点が上記図１３の場合と異なっている。以下同様に、信号記録再生装置１の制御回路１２は、パラメータを変更しながら、変更されたパラメータのままで複数回（例えば４回）ずつリトライを行わせ、全体でＮ回までリトライを行わせている。信号記録再生装置１の制御回路１２では、全体でＮ回のリトライが行われると、ステップＳ２７MでＮＯと判別され、上記図１１のステップＳ３に戻る。
【００８０】
これにより、本発明の実施の形態の信号記録再生装置は、評価値が所定値に達したときに他の正常な単位記録領域に信号を記録し直すことで、次回以降の情報信号の再生に際しての信頼性を確保することができ、将来に情報信号が再生可能に陥ることを防止することができる。
【００８１】
なお、本発明は上述した実施の形態のみに限定されるものではなく、例えば、リトライの回数とパラメータの変更との関係は、上記実施の形態に限定されず、また、エラー訂正バイト数とエラーカウンタ値との関係も図示の例に限定されない。この他、本発明の要旨を逸脱しない範囲において種々の変更が不能であることは勿論である。
【００８２】
【発明の効果】
本発明によれば、評価値が所定値に達したときに他の正常な単位記録領域に信号を記録し直すことで、次回以降の情報信号の再生に際しての信頼性を確保することができ、将来に情報信号が再生不能に陥ることを防止することができる。
【図面の簡単な説明】
【図１】ハードディスクの製造後においてなされる従来の検査、出荷時の処理を説明するためのフローチャートである。
【図２】フロッピーディスクの製造後においてなされる従来の検査、出荷時の処理を説明するためのフロートチャートである。
【図３】光磁気ディスクの製造後においてなされる従来の検査、出荷時の処理を説明するためのフローチャートである。
【図４】光磁気ディスクがユーザによる購入後に従来の信号記録再生装置によって信号が再生されたときに行われる処理を説明するためのフローチャートである。
【図５】本発明の実施の形態である信号記録再生装置の構成を示す回路図である。
【図６】磁気ディスク上の記録トラック及びセクタの一例を示す図である。
【図７】スリップ交替処理がないときのディスク上の物理アドレスＰＢＡと論理アドレスＬＢＡとの関係を示す図である。
【図８】スリッピング交替処理をした場合のディスク上の物理アドレスＰＢＡと論理アドレスＬＢＡとの関係を示す図である。
【図９】オルタネイト交替処理がない場合のディスク上の物理アドレスＰＢＡと論理アドレスＬＢＡとの関係を示す図である。
【図１０】オルタネイト交替処理をした場合のディスク上の物理アドレスＰＢＡと論理アドレスＬＢＡとの関係を示す図である。
【図１１】上記信号記録再生装置の行う信号の再生及び記録処理を示す前半の動作を説明するためのフローチャートである。
【図１２】上記信号記録再生装置の行う信号の再生及び記録処理を示す後半のフローチャートであって、エラーカウンタ値に応じて信号を交替セクタに記録する動作を説明するためのフローチャートである。
【図１３】上記信号記録再生装置の行う信号の再生及び記録処理を示す後半のフローチャートであって、リトライカウンタ値に応じた各種リトライ動作を説明するためのフローチャートである。
【図１４】上記図１２に示す動作他の例として、リトライカウンタ値及びエラーカウンタ値に応じて信号を交替セクタに記録する動作を説明するためのフローチャートである。
【図１５】上記図１３に示す動作の他の例として、リトライカウンタ値に応じた各種リトライ動作を説明するためのフローチャートである。
【図１】
0003867297.tif 000003
【図２】
0003867297.tif 000004
【図３】
0003867297.tif 000005
【図４】
0003867297.tif 000006
【図５】
0003867297.tif 000007
【図６】
0003867297.tif 000008
【図７】
0003867297.tif 000009
【図８】
0003867297.tif 000010
【図９】
0003867297.tif 000011
【図１０】
0003867297.tif 000012
【図１１】
0003867297.tif 000013
【図１２】
0003867297.tif 000014
【図１３】
0003867297.tif 000015
【図１４】
0003867297.tif 000016
【図１５】
0003867297.tif 000017